(57)【要約】【課題】  本発明は、受電回路において、共振電圧を安定して一定値以下に制限し、パルス状の電流を抑制して低ノイズを実現でき、かつ低損失で発熱による温度上昇を小さくできる複合コアリアクトルを提供することを目的とする。【解決手段】  高透磁率材料からなり、連続した環状磁路を形成する第１コア部材１と、高透磁率材料からなり、空隙３により局部破断した環状磁路を形成する第２コア部材２と、熱伝導率の高い低透磁率材料からなる放熱板５を備え、前記第１コア部材１と第２コア部材２と放熱板５が、第２コア部材２、第１コア部材１、放熱板５の順に接合され、コイル巻線８が両環状磁路に共通に鎖交するように巻かれている構成とする。この構成によれば、第１コア部材１が飽和した後、発生するパルス電流は第２コア部材２のインダクタンスにより抑制され、急峻で過大なパルス電流に起因する渦電流による発熱や電磁妨害の問題を軽減できる。【選択図】      図１
2005093830.tif 000002
【特許請求の範囲】
【請求項１】
磁気抵抗の小さい環状磁路を形成する第１コア部材と、
前記第１コア部材より磁気抵抗の大きい環状磁路を形成する第２コア部材と、
熱伝導率の高い低透磁率材料からなる放熱板
を備え、
前記第１コア部材と第２コア部材と放熱板が、第２コア部材、第１コア部材、放熱板の順に接合され、コイル巻線が両環状磁路に共通に鎖交するように巻かれていること
を特徴とする複合コアリアクトル。
【請求項２】
前記第１コア部材および第２コア部材および放熱板は、ほぼ同径の空洞を有し、
前記第２コア部材、第１コア部材、放熱板は、前記空洞を揃えて接合され、
前記コイル巻線は、この揃えた空洞を使用して巻かれていること
を特徴とする請求項１に記載の複合コアリアクトル。
【請求項３】
柔軟な絶縁材料からなり、前記空洞の径にほぼ一致する外径の中空芯材を備え、
前記中空芯材を位置決め部材として、前記第２コア部材、第１コア部材、放熱板はその空洞を揃えて接合され、
前記コイル巻線は、前記中空芯材を通し、中空芯材の両縁を使用して前記第２コア部材の空洞縁部に接触しないように巻かれること
を特徴とする請求項２に記載の複合コアリアクトル。
【請求項４】
磁気抵抗の小さい環状磁路を形成する複数の第１コア部材と、
前記第１コア部材より磁気抵抗の大きい環状磁路を形成する第２コア部材と、
熱伝導率の高い低透磁率材料からなる複数の放熱板
を備え、
前記第１コア部材間に前記第２コア部材を配置し、前記第１コア部材の外方にそれぞれ放熱板を配置して、これら第１コア部材および第２コア部材および放熱板が接合され、コイル巻線が各環状磁路に共通に鎖交するように巻かれていること
を特徴とする複合コアリアクトル。
【請求項５】
前記第１コア部材および第２コア部材および放熱板は、ほぼ同径の空洞を有し、
前記第１コア部材および第２コア部材および放熱板は、前記空洞を揃えて接合され、
前記コイル巻線は、この揃えた空洞を使用して巻かれていること
を特徴とする請求項４に記載の複合コアリアクトル。
【請求項６】
前記第１コア部材は、連続した環状磁路を形成し、
前記第２コア部材は、空隙により局部破断した環状磁路を形成すること
を特徴とする請求項１〜請求項５のいずれか１項に記載の複合コアリアクトル。
【請求項７】
磁気抵抗の小さい環状磁路を形成する第１コア部材と、
前記第１コア部材より磁気抵抗の大きい環状磁路を形成する第２コア部材と、
熱伝導率の高い低透磁率材料からなる放熱板
を備え、
前記第１コア部材と放熱板は接合され、前記第１コア部材と第２コア部材は、各外周面を互いに接触させて接合され、コイル巻線が両環状磁路に共通に鎖交するように巻かれていること
を特徴とする複合コアリアクトル。
【請求項８】
前記第２コア部材は、空隙により局部破断した環状磁路を形成し、
前記第２コア部材の空隙は、前記第１コア部材と第２コア部材の接触部から離されること
を特徴とする請求項７に記載の複合コアリアクトル。
【請求項９】
前記第１コア部材と第２コア部材の外周部は、絶縁材を介して接触されること
を特徴とする請求項７または請求項８に記載の複合コアリアクトル。
【請求項１０】
前記第１コア部材を、高透磁率材料からなる帯体をロール状に巻いて形成し、
前記第２コア部材を、前記第１コア部材の外径とほぼ同じ外径を有し、かつ第１コア部材により形成される中央部の空洞とほぼ同じ空洞を有するように、帯体をロール状に巻き、前記ロール状に巻いた帯体の一部を切欠いて形成したこと
を特徴とする請求項１〜請求項９のいずれか１項に記載の複合コアリアクトル。
【請求項１１】
前記放熱板と前記第１コア部材とは電気的に絶縁された状態で接合されていること
を特徴とする請求項１０に記載の複合コアリアクトル。
【請求項１２】
前記コイル巻線として撚線からなる絶縁電線を使用すること
を特徴とする請求項１〜請求項１１のいずれか１項に記載の複合コアリアクトル。
【請求項１３】
所定周波数の交番磁界中に置かれて誘導起電力を発生する受電コイルと、受電コイルに接続されて磁界周波数に同調する共振回路を形成する共振コンデンサとを備え、共振回路から負荷に電力を供給する誘導受電回路であって、
請求項１〜請求項１２のいずれか１項に記載の複合コアリアクトルのコイル巻線を共振コンデンサに並列接続したこと
を特徴とする誘導受電回路。
【請求項１４】
所定周波数の交番磁界中に置かれて誘導起電力を発生する受電コイルと、受電コイルに接続されて磁界周波数に同調する共振回路を形成する共振コンデンサとを備え、共振回路から負荷に電力を供給する誘導受電回路であって、
高透磁率材料からなる帯体をロール状に巻いて、連続した環状磁路を形成する第１コア部材と、
帯体をロール状に巻いて形成し、前記ロール状に巻いた帯体の一部を切欠いて空隙を形成し、前記空隙により局部破断した環状磁路を形成する第２コア部材とを有し、
前記第１コア部材の帯体の側縁を集積した面と前記第２コア部材の帯体の側縁を集積した面とを接合し、コイル巻線が前記第１コア部材と前記第２コア部材の両環状磁路に共通に鎖交するように巻かれている複合コアリアクトルを備え、
前記複合コアリアクトルのコイル巻線を前記共振コンデンサに並列接続したこと
を特徴とする誘導受電回路。
【発明の詳細な説明】
【技術分野】
【０００１】
本発明は、交流電源系統の調整や制御の目的で利用される複合コアリアクトル、およびこのリアクトルを用いた誘導受電回路にも関するものである。
【背景技術】
【０００２】
従来のリアクトルを用いた誘導受電回路として、たとえば特許文献１に、定電圧誘導給電装置に関する発明が開示されている。
すなわち、軌道に沿って走行する車両の駆動電力を、電磁誘導により非接触で軌道側から車両に転送する装置である。車両に搭載される誘導受電回路は、基本構成として、起動側の設備から発生する交番磁界（１０ＫＨｚほどの一定周波数）の中に置かれて誘導起電力を発生する受電コイルと、受電コイルに接続されて磁界周波数に同調する共振回路を形成する共振コンデンサと、受電コイルとコンデンサの共振回路に並列接続された可飽和リアクトルと、共振回路から取り出した交流電力を直流化してモータなどの負荷に供給するコンバータとを備えている。前記可飽和リアクトルは、環状フェライト鉄心を使用したトロイダルコイルで構成している。
【０００３】
共振回路を形成する誘導受電回路においては、負荷が電力をほとんど消費しない場合（軽負荷状態という）、何らかの制限要因が働かない限りは、共振コンデンサに印加された電圧が際限なく増大して、回路が破壊されてしまう。そのため、受電コイルとコンデンサの共振回路に可飽和リアクトルを並列接続することで、電圧の異常上昇を規制する（定電圧化する）構成を採用している。
【０００４】
また可飽和リアクトルのコアが、飽和後に流れるパルス状の電流により発熱するという問題を解決するため、たとえば特許文献２に、同内径の空洞を有する複数の軟磁性合金薄帯巻磁心（コア）と複数の放熱板を、絶縁シートを介して交互に積層し、また巻磁心と放熱板の内径面に密着して磁心損失による発熱を前記放熱板へ伝導する円筒管を設けた構造が開示されている。
【特許文献１】特開平１０−７０８５６号公報
【特許文献２】特開２００１−２５０７２６号公報
【発明の開示】
【発明が解決しようとする課題】
【０００５】
しかし、従来の誘導受電回路の可飽和リアクトルでは、高抵抗の特性を示すフェライト磁心を使用し、高周波磁界により生じる渦電流損発熱を避けているが、フェライトは温度によって磁気特性（飽和磁束密度）が大きく変化するため、使用環境の温度変化が大きい場合には、共振制限電圧が大きく変化し、一定電圧を得ることが困難になるという問題がある。
【０００６】
またコアが磁気飽和に達した後、コア巻線に流れ込む電流はパルス状に急増し、このパルスによる高周波成分を含む電流が周囲に磁界を形成するため、コアや周囲に渦電流損失を発生させて発熱を引き起こし、また電磁妨害（ＥＭＩ）を引き起こすという問題がある。
【０００７】
また鉄心フェライトに代えて、温度に対して安定な磁気特性を示すアルモファス合金軟磁性材料やナノ結晶軟磁性材料を可飽和リアクトルのコアに使用すれば、使用環境の温度変化が大きくても定電圧特性が安定するという利点がある。しかし、この種のリボン状の磁性材料を巻いてコア（薄帯巻磁心）を構成すると、コイル巻線に急峻なパルス電流が流れた場合にはリボン面に渦電流を発生しやすく、それによりコア自体が激しく発熱するという問題がある。このコア自体が激しく発熱するという問題を解決するため、特許文献２のように、巻磁心（コア）と放熱板を交互に積層する構造では、あまりに構造が大掛かりとなり、設置空間が広く必要となり、コストも増加するという問題がある。
【０００８】
上記いずれのコア材料であっても、前述した誘導受電回路に定電圧化のために可飽和リアクトルを接続した構成においては、定電圧化の作用を果たす動作モードで１０ＫＨｚ以上の高周波の各半波のピーク付近でコアが磁気飽和し、コアに巻かれたコイルに急峻なパルス電流が流れることになる（このことで電圧上昇が規制されるわけである）。
【０００９】
そこで、本発明は、無接触給電設備における受電回路において、共振電圧を安定して一定値以下に制限し、パルス状の電流を抑制して低ノイズを実現でき、かつ低損失で発熱による温度上昇が小さく、さらに小型でコストを低減できる複合コアリアクトルを提供することを目的としたものである。
【課題を解決するための手段】
【００１０】
前述した目的を達成するために、本発明のうち請求項１に記載の発明は、磁気抵抗の小さい環状磁路を形成する第１コア部材と、前記第１コア部材より磁気抵抗の大きい環状磁路を形成する第２コア部材と、熱伝導率の高い低透磁率材料からなる放熱板を備え、前記第１コア部材と第２コア部材と放熱板が、第２コア部材、第１コア部材、放熱板の順に接合され、コイル巻線が両環状磁路に共通に鎖交するように巻かれていることを特徴とするものである。
【００１１】
上記構成によれば、第１コア部材は、第２コア部材より磁気抵抗が小さいことにより、第１コア部材が磁気飽和していない領域においては、コイル巻線に流れる電流による磁界（磁化力）（Ｈ）はもっぱら第１コア部材に磁束を生じさせ、この状態ではリアクトルは大きなインダクタンス値を示す。そして、第１コア部材の磁束密度（Ｂ）が飽和すると、次に急激に増加を始めたコイル電流による磁化力が第２コア部材に磁束を生じさせる。このとき第１コア部材が磁気飽和すると、これを起源とするインダクタンスはほぼゼロになるが、磁気抵抗が大きな第２コア部材に磁束が生じることからリアクトルとしてのインダクタンスはある程度の値を維持することになり、トータルで飽和しないリアクトルとなる。そのため第１コア部材が磁気飽和してもリアクトルに流れるパルス電流は、それほど急峻で過大とはならない。つまり、穏やかに電圧抑制の作用が働くことになり、急峻で過大なパルス電流に起因する渦電流による発熱や電磁妨害の問題が軽減される。また第１コア部材は飽和状態で使用されるために発熱量が大きくなるが、この発熱は放熱板とともに殆ど発熱しない第２コア部材へ伝導され、放熱板および第２コア部材により速やかに逃がされ、過熱することが防止される。また第１コア部材は飽和領域で使用されるため、最大磁束密度が大きく、かつコアロスの少ない（Ｂ−Ｈ特性において、図８に斜線で示す、ヒステリシスループが囲む面積が小さい）コア材料から形成する必要があるが、第２コア部材は飽和領域で使用しないため、第２コア部材のコア材料は、第１コア部材の如き特性を有するコア材料とする必要はなく、第１コア部材のコア材料より磁気抵抗が大きく、ロスの少ないコア材料で安価な材料に代えることができる。図８において、Ｈは磁界（磁化力）、Ｂは磁束密度、Ｈｍは最大磁化力、Ｂｍは最大磁束密度、Ｂｒは残留磁束密度、Ｈｃは保磁力を示す。
【００１２】
また請求項２に記載の発明は、請求項１に記載の発明であって、前記第１コア部材および第２コア部材および放熱板は、ほぼ同径の空洞を有し、前記第２コア部材、第１コア部材、放熱板は、前記空洞を揃えて接合され、前記コイル巻線は、この揃えた空洞を使用して巻かれていることを特徴とするものである。
【００１３】
上記構成によれば、コイル巻線が、接合された第２コア部材、第１コア部材、放熱板の空洞を使用して巻かれることにより、巻き作業が容易となり、コストが低減される。
また請求項３に記載の発明は、請求項２に記載の発明であって、柔軟な絶縁材料からなり、前記空洞の径にほぼ一致する外径の中空芯材を備え、前記中空芯材を位置決め部材として、前記第２コア部材、第１コア部材、放熱板はその空洞を揃えて接合され、前記コイル巻線は、前記中空芯材を通し、中空芯材の両縁を使用して前記第２コア部材の空洞縁部に接触しないように巻かれることを特徴とするものである。
【００１４】
上記構成によれば、中空芯材を位置決め部材として第２コア部材、第１コア部材、放熱板の空洞を揃えて接合することにより、接合作業が容易となり、また芯材の両縁を使用して第２コア部材の空洞縁部に接触しないようにコイル巻線を巻くことにより、コイル巻線が第２コア部材の空洞縁部で断線する恐れが減少される。
【００１５】
また請求項４に記載の発明は、磁気抵抗の小さい環状磁路を形成する複数の第１コア部材と、前記第１コア部材より磁気抵抗の大きい環状磁路を形成する第２コア部材と、熱伝導率の高い低透磁率材料からなる複数の放熱板を備え、前記第１コア部材間に前記第２コア部材を配置し、前記第１コア部材の外方にそれぞれ放熱板を配置して、これら第１コア部材および第２コア部材および放熱板が接合され、コイル巻線が各環状磁路に共通に鎖交するように巻かれていることを特徴とするものである。
【００１６】
上記構成によれば、第１コア部材を複数用意し、第１コア部材のコア断面積を複数倍とすることにより第１コア部材が１個の場合と比較して飽和電圧を複数倍とすることが可能となり、また発熱量が多い第１コア部材が分散され放熱面積が増加され、これら第１コア部材を両側に配置し、発熱量が少ない第２コア部材が第１コア部材に挟まれる配置としたことにより、放熱特性が向上する。
【００１７】
また請求項５に記載の発明は、請求項４に記載の発明であって、前記第１コア部材および第２コア部材および放熱板は、ほぼ同径の空洞を有し、前記第１コア部材および第２コア部材および放熱板は、前記空洞を揃えて接合され、前記コイル巻線は、この揃えた空洞を使用して巻かれていることを特徴とするものである。
【００１８】
上記構成によれば、コイル巻線が、接合された第１コア部材および第２コア部材および放熱板の空洞を使用して巻かれることにより、巻き作業が容易となり、コストが低減される。
【００１９】
また請求項６に記載の発明は、請求項１〜請求項５のいずれか１項に記載の発明であって、前記第１コア部材は、連続した環状磁路を形成し、前記第２コア部材は、空隙により局部破断した環状磁路を形成することを特徴とするものである。
【００２０】
上記構成によれば、第１コア部材と第２コア部材を同材料で同形状に形成するとき、第２コア部材はその空隙により第１コア部材より磁気抵抗が大きくなる。
また請求項７に記載の発明は、磁気抵抗の小さい環状磁路を形成する第１コア部材と、前記第１コア部材より磁気抵抗の大きい環状磁路を形成する第２コア部材と、熱伝導率の高い低透磁率材料からなる放熱板を備え、前記第１コア部材と放熱板は接合され、前記第１コア部材と第２コア部材は、各外周面を互いに接触させて接合され、コイル巻線が両環状磁路に共通に鎖交するように巻かれていることを特徴とするものである。
【００２１】
上記構成によれば、急峻で過大なパルス電流に起因する渦電流による発熱や電磁妨害の問題が軽減されるとともに、第１コア部材と第２コア部材の各外周面を互いに接触させて接合していることにより、薄型形状となり、全体が薄型の複合コアリアクトルが提供される。
【００２２】
また請求項８記載の発明は、請求項７に記載の発明であって、前記第２コア部材は、空隙により局部破断した環状磁路を形成し、前記第２コア部材の空隙は、前記第１コア部材と第２コア部材の接触部から離されることを特徴とするものである。
【００２３】
上記構成によれば、第２コア部材の空隙から漏れる磁束により第１コア部材に渦電流が発生し第１コア部材が発熱することが防止される。
また請求項９記載の発明は、請求項７または請求項８に記載の発明であって、前記第１コア部材と第２コア部材の外周部は、絶縁材を介して接触されることを特徴とするものである。
【００２４】
上記構成によれば、第２コア部材の空隙から漏れる磁束が絶縁材により離され、前記漏れ磁束により第１コア部材に渦電流が発生し第１コア部材が発熱することが防止される。よって、第１コア部材に対する第２コア部材の空隙の位置を任意に選択することが可能となる。
【００２５】
また請求項１０に記載の発明は、請求項１〜請求項９のいずれか１項に記載の発明であって、前記第１コア部材を、高透磁率材料からなる帯体をロール状に巻いて形成し、前記第２コア部材を、前記第１コア部材の外径とほぼ同じ外径を有し、かつ第１コア部材により形成される中央部の空洞とほぼ同じ空洞を有するように、帯体をロール状に巻き、前記ロール状に巻いた帯体の一部を切欠いて形成したことを特徴とするものである。
【００２６】
上記構成によれば、第１コア部材と第２コア部材が、帯体をロール状に巻いて形成されることにより、第１コア部材と第２コア部材の円環型の両側面の平面部分は、帯体の側縁を集積した面となり、この面は熱伝導性に優れている。よって第１コア部材で発生する熱をできるだけ効率よく放熱できるように、すなわち熱結合が密となるように、第２コア部材の帯体の側縁を集積した面と第１コア部材の帯体の側縁を集積した面を合わせ、第１コア部材の帯体の側縁を集積した面を放熱板に合わせ、接合することにより、第１コア部材で発生する熱は、放熱板と第２コア部材により効率よく放熱される。また第２コア部材は、ロール状に巻いた帯体の一部が切欠かれることにより、第１コア部材より磁気抵抗が大きくなる。
【００２７】
また請求項１１に記載の発明は、請求項１０に記載の発明であって、前記放熱板と前記第１コア部材とは電気的に絶縁された状態で接合されていることを特徴とするものである。
【００２８】
上記構成によれば、放熱板と第１コア部材が接触すると層間短絡を起こす恐れがあるが、電気的に絶縁された状態とすることにより、防止することができる。
また請求項１２に記載の発明は、請求項１〜請求項１１のいずれか１項に記載の発明であって、前記コイル巻線として撚線からなる絶縁電線を使用することを特徴とするものである。
【００２９】
上記構成によれば、第２コア部材によりパルス電流の立ち上がりが抑制され、高調波成分も低減されるので、コイル巻線自体も高価なリッツ線を用いる必要はなく、通常の絶縁電線を使用することができる。またコイル巻線は、コア部材および放熱板を固定する機能が求められることにより、リッツ線では切れてしまう恐れがあるが通常の絶縁電線ではその恐れは少なく、品質を保証することができ、さらにリッツ線を使用する場合と比較してコストを低減することができる。
【００３０】
また請求項１３に記載の発明は、所定周波数の交番磁界中に置かれて誘導起電力を発生する受電コイルと、受電コイルに接続されて磁界周波数に同調する共振回路を形成する共振コンデンサとを備え、共振回路から負荷に電力を供給する誘導受電回路であって、請求項１〜請求項１２のいずれか１項に記載の複合コアリアクトルのコイル巻線を共振コンデンサに並列接続したことを特徴とするものである。
【００３１】
上記構成によれば、軽負荷状態では、何らかの制限要因が働かない限りは、共振コンデンサに印加される電圧が際限なく増大して、回路が破壊されてしまうが、受電コイルとコンデンサの共振回路に複合コアリアクトルを並列接続することで、電圧の異常上昇が規制される（定電圧化される）。このとき、第２コア部材の働きにより、第１コア部材が磁気飽和してもリアクトルに流れるパルス電流は、それほど急峻で過大とはならず、穏やかに電圧抑制の作用が働くことになり、急峻で過大なパルス電流に起因する渦電流による発熱や電磁妨害の問題が軽減される。
【００３２】
また請求項１４に記載の発明は、所定周波数の交番磁界中に置かれて誘導起電力を発生する受電コイルと、受電コイルに接続されて磁界周波数に同調する共振回路を形成する共振コンデンサとを備え、共振回路から負荷に電力を供給する誘導受電回路であって、高透磁率材料からなる帯体をロール状に巻いて、連続した環状磁路を形成する第１コア部材と、帯体をロール状に巻いて形成し、前記ロール状に巻いた帯体の一部を切欠いて空隙を形成し、前記空隙により局部破断した環状磁路を形成する第２コア部材と有し、前記第１コア部材の帯体の側縁を集積した面と前記第２コア部材の帯体の側縁を集積した面とを接合し、コイル巻線が前記第１コア部材と前記第２コア部材の両環状磁路に共通に鎖交するように巻かれている複合コアリアクトルを備え、前記複合コアリアクトルのコイル巻線を前記共振コンデンサに並列接続したことを特徴とするものである。
【００３３】
上記構成によれば、第２コア部材の働きにより、第１コア部材が磁気飽和してもリアクトルに流れるパルス電流は、それほど急峻で過大とはならず、穏やかに電圧抑制の作用が働くことになり、急峻で過大なパルス電流に起因する渦電流による発熱や電磁妨害の問題が軽減される。また第１コア部材が磁気飽和して発生する熱は、第２コア部材は飽和しないことから発熱自体が小さく、かつ熱伝導性に優れている第１コア部材と前記第２コア部材の帯体の側縁を集積した面を合わせて接合することにより、第２コア部材へ伝導され第２コア部材により効率よく放熱される。
【発明の効果】
【００３４】
本発明の複合コアリアクトルは、誘導受電回路の電圧抑制のために可飽和リアクトルを組み込むなどの応用において、安定した電圧レベルでサージ耐量も大きく、しかも穏やかに電圧抑制の作用が働くので、急峻で過大なパルス電流に起因する電磁妨害の問題が軽減され、また過熱しにくいので、実装設計が容易となり、装置の小型化に寄与する、という効果を有している。
【発明を実施するための最良の形態】
【００３５】
以下、本発明の実施の形態を図面に基づいて説明する。
［実施の形態１］
図１は本発明の実施の形態１における複合コアリアクトルの斜視図であり、本発明の複合コアリアクトルの基本的な実施の形態を示している。
【００３６】
図１において、１は磁気抵抗の極めて小さい連続した環状磁路を形成する空隙（ｇａｐ；ギャップ）無し第１コア部材、２は第１コア部材１より磁気抵抗の大きい、空隙３により局部破断した環状磁路を形成するｇａｐ有り第２コア部材であり、これら第１コア部材１と第２コア部材２とはともに、アモルファス合金軟磁性材料やナノ結晶軟磁性材料｛高透磁率で高効率材料、すなわち最大磁束密度が大きく、かつコアロスの少ない（Ｂ−Ｈ特性において、図８に斜線で示すヒステリシスループが囲む面積が小さい）コア材料の一例｝の帯体をロール状に密に巻き、そして外径とコア中央部の空洞４の径をほぼ同一とした円環型コア（環状コア）に形成され、第２コア部材２には、円環の一部を切欠いて（破断して）前記空隙３を設け、主にコアの帯体の側縁を集積した面に絶縁処理（たとえばエポキシ樹脂の絶縁塗装）を施している。また（ｇａｐ無し）第１コア部材１と（ｇａｐ有り）第２コア部材２のコア断面積をほぼ同一としている。
【００３７】
また第１コア部材１に発生する熱を放熱するために、たとえばアルミニウムや銅などの熱伝導率の高い低透磁率材料、あるいはたとえばＳＵＳ３０４などの低透磁率材料からなる放熱板５が設けられている。またこの放熱板５は、ブラケットを兼ねてＬ字形に折り曲げられており、その主面はコア材料１，２の外径より大きく、コア部材１，２の空洞４とほぼ同径の空洞６が空けられている。
【００３８】
また柔軟な絶縁材料からなり、コア部材１，２の空洞４および放熱板５の空洞６の径にほぼ一致する径の円筒状の中空芯材７（たとえば、紙やプラスチックからなる筒状の芯材）を備え、この芯材７を位置決め部材として、この芯材７に第２コア部材２、第１コア部材１、放熱板５の順にその空洞４，６を通し（揃え）、続けてこれら第２コア部材２と第１コア部材１と放熱板５を接合し、さらに揃えた空洞４，６（中空芯材７の空洞）を使用して、通常の絶縁電線（撚り線）からなるコイル巻線８がコア部材１，２の両環状磁路に共通に鎖交するように巻かれている。またこのとき、コイル巻線８は、芯材７の両縁を緩衝材として使用して、第２コア部材２および放熱板５の空洞４，６の空洞縁部に接触しないように巻かれている。なお、中空芯材７の軸方向の長さを、接合されたコア部材１，２および放熱板５の軸方向の長さに両縁が少し飛び出す長さを加えたものとしている。
【００３９】
上記リボン材（帯体）を密に巻いたコア部材１，２においては、円環型の両側面の平面部分は、リボン材の側縁を集積した面であり、巻層を介すことなくリボン材が直接熱を伝えるのでこの面は熱伝導性に優れている。よってコア部材１で発生する熱をできるだけ効率よく放熱できるように、すなわち熱結合が密となるように、第２コア部材２のリボン材の側縁を集積した面と第１コア部材１のリボン材の側縁を集積した面を合わせ、第１コア部材１のリボン材の側縁を集積した面を放熱板５の主面に合わせ、接合している。このような接合により、コア部材１で発生する熱は、放熱板５と第２コア部材２により効率よく放熱される。また接合されたコア部材１，２および放熱板５は、それぞれ上記帯体（リボン体）の側縁を集積した面に施した絶縁処理により電気的に絶縁されている。なお、これらの接合の電気的絶縁は、上記帯体（リボン体）の側縁を集積した面に施したエポキシなどの絶縁塗装以外にも、両者間にシリコンなどの絶縁シートを介在させること、あるいは帯体自体に絶縁処理することにより実現できる。
【００４０】
また放熱板５は、この複合コアリアクトル自体の取り付けブラケットとして使用できる形態になっていることにより、コイル巻線８から発生する起磁力の影響から周囲の構造物（おもに鉄類）を遠ざけるのにも効果的である。
【００４１】
以上のように構成された複合コアリアクトルを、たとえば図２に示す誘導受電回路に組み込む。図２の回路は、１０ＫＨｚほどの一定周波数の交番磁界中に置かれて誘導起電力を発生する受電コイル１１と、受電コイル１１に接続されて磁界周波数に同調する共振回路を形成する共振コンデンサ１２と、共振回路から取り出した交流電力を直流化してモータなどの負荷１５に供給する整流回路１３とを備えている。そして、複合コアリアクトル１４（コイル巻線８）を共振コンデンサ１２（共振回路）に並列に接続している。また第１コア部材１の飽和電圧を、通常負荷時の共振回路の共振電圧（以下、所定電圧と称す）に設定している。
【００４２】
図２の回路構成および図３に示すＢ−Ｈカーブに基づいて複合コアリアクトルの作用について説明する。
まずコア部材１，２は同じ材料で、かつ同形状とされていることにより、ｇａｐ無し第１コア部材１は、当然、ｇａｐ有り第２コア部材２より磁気抵抗がかなり小さい（第２コア部材２は、第１コア部材１より磁気抵抗を大きくしている）。したがって、複合コアリアクトル１４に印加される電圧が所定電圧以下のとき、すなわち第１コア部材１が磁気飽和していない領域においては、コイル巻線８に流れる電流による磁化力（磁界）（Ｈ）はもっぱら第１コア部材１に磁束を生じさせる。この状態では複合コアリアクトル１４は全体として大きなインダクタンス値を示す。このような大きなインダクタンス値を示す条件下では、インダクタンスが大きいため、複合コアリアクトル１４には殆ど電流は流入せず、共振回路の共振条件は満たされている（図３；ａ部）。
【００４３】
次に、負荷１５が電力をほとんど消費しない軽負荷状態となると、複合コアリアクトル１４へ流入する電流が大きくなり、複合コアリアクトル１４に印加される電圧が上昇し前記所定電圧となると、すなわち飽和電圧となり第１コア部材１の磁束密度（Ｂ）が飽和すると（図３ｘ点）、複合コアリアクトル１４は第２コア部材２の磁気抵抗に依存することになってインダクタンス値は小さくなる（なお、第１コア部材１の磁束密度が飽和すると、第１コア部材１の磁気飽和を起源とするインダクタンスはほぼゼロになるが、急激に増加を始めたコイル電流による磁化力が磁気抵抗が大きな第２コア部材２に磁束を生じさせることから複合コアリアクトル１４としてのインダクタンスはある程度の値を維持することになる）。
【００４４】
このようにインダクタンス値は小さくなると、共振コンデンサ１２から流れ出る電流は複合コアリアクトル１４へ流入し、共振電圧が制限され、よって過電圧が防止され、所定電圧に維持される。このとき、複合コアリアクトル１４としてのインダクタンスはある程度の値を維持されるため、第１コア部材１が磁気飽和してもパルス状に急増しようとする電流は抑制され、複合コアリアクトル１４に流れるパルス電流の波高値は小さくなる。よって、パルス電流によるアンペアターン、すなわち起磁力が小さくなるので第１コア部材１のコアロス（リボン状のコア内部の渦電流損失を含む）が低減され、また高周波ノイズも抑制される。このようにパルス電流はそれほど急峻で過大とはならず、穏やかに電圧抑制の作用が働くことになり、急峻で過大なパルス電流に起因する渦電流による発熱や電磁妨害の問題が軽減される。
【００４５】
またこのとき第１コア部材１は飽和状態で使用されるために発熱量が大きくなるが、第２コア部材２は飽和に到っていないため発熱自体が少ない。よって、第１コア部材１の発熱は、放熱板５へ伝導されるとともに第２コア部材２へ伝導され、これら放熱板５および第２コア部材２により速やかに逃がされ、過熱することが防止されている（図３；ｂ部）。
【００４６】
また第２コア部材２の磁束密度が飽和すると（図３ｙ点）、複合コアリアクトル１４としてのインダクタンスはゼロに近くなり、大きな電流が流れる（図３；ｃ部）。しかし、受電回路としてこの領域が使用されることは無く、トータルで飽和しない複合コアリアクトル１４が形成されている。なお、図３ｙ点は、第２コア部材２の空隙寸法により任意に設定することができる。
【００４７】
また第２コア部材２が飽和となること自体を防ぐことも可能である。このとき、前述のように空隙３を大きくするか、第２コア部材２のコア断面積を大きくするかを実施する。空隙３を大きくすると、第２コア部材２のインダクタンスが小さくなりパルス電流の抑制機能が低下するので好ましくなく、第２コア部材２のコア断面積を大きくすることが選択される。
【００４８】
ここまでの説明で明らかなように、この複合コアリアクトル１４は、電圧抑制、すなわちサージキラーとしての効果を奏する。しかも、第１コア部材１が飽和する所定電圧以上の電圧が印加された場合、サージエネルギーは電流としてコイル巻線８に流れ、磁気エネルギーに変換されるとともに、コイル巻線８とこれに接続される電線の抵抗損としても消費されるので、サージ耐量が大きいという特性があり、繰り返し性のあるサージを吸収するのに効果的である。
【００４９】
この複合コアリアクトル１４の特性を左右する主要なパラメータは、第１コア部材１のコア断面積、第２コア部材２のコア断面積、空隙３の大きさ、コイル巻線８の巻数などであり、これらを適宜に設定することで所望の特性のリアクトルを実現することができる。
【００５０】
このように実施の形態１によれば、受電回路の共振電圧を一定に安定することができるとともに、第１コア部材１が飽和状態となった後、第２コア部材２に磁束が生じることから複合コアリアクトル１４としてのインダクタンスはある程度の値を維持することができ、穏やかに電圧抑制の作用が働くことによりパルス電流が抑制され、急峻で過大なパルス電流に起因する渦電流による発熱を軽減でき、かつノイズレベルを低く抑えることができ、電磁妨害を軽減できる。
【００５１】
また実施の形態１によれば、上記のように発熱が軽減され、かつ第１コア部材１の両側面に放熱板５と第２コア部材２を配置したことにより第１コア部材１の発熱はこれら放熱板５と第２コア部材２へ伝導され、速やかに逃がされ、過熱しにくい（放熱能力が高い）ことから、実装設計が容易となり、小型化することができ、温度上昇が小さな受電ユニット（受電回路）を構成することができる。
【００５２】
また実施の形態１によれば、コイル巻線８が、接合された第２コア部材２、第１コア部材１、放熱板５の空洞４，６を使用して巻かれることにより、巻き作業が容易となり、コストを低減することができる。
【００５３】
また実施の形態１によれば、中空芯材７を位置決め部材として第２コア部材２、第１コア部材１、放熱板５の空洞４，６を揃えて接合することにより、接合作業が容易となり、また芯材７の両縁を使用して第２コア部材２および放熱板５の空洞４，６の空洞縁部に接触しないようにコイル巻線８を巻くことにより、コイル巻線８が第２コア部材２および放熱板５の空洞縁部で断線する恐れを減少させることができる。
【００５４】
また実施の形態１によれば、熱伝導性に優れた、第２コア部材２のリボン材の側縁を集積した面と第１コア部材１のリボン材の側縁を集積した面を合わせ、第１コア部材のリボン材の側縁を集積した面を放熱板５に合わせ、接合することにより、第１コア部材１で発生する熱を、放熱板と第２コア部材により効率よく放熱でき、放熱特性を向上させることができる。
【００５５】
また実施の形態１によれば、放熱板５と第１コア部材１が接触すると層間短絡を起こす恐れがあるが、第１コア部材１が絶縁処理され電気的に絶縁された状態で接合されていることにより、このような層間短絡を防止することができる。またこの電気絶縁により、放熱板５が渦電流を流すルートになることを防止することができる。
【００５６】
また実施の形態１によれば、パルス電流の立ち上がりが抑制され、高調波成分も低減されるので、コイル巻線８自体も高価なリッツ線を用いる必要はなく、通常の絶縁電線を用いることができ、またコイル巻線８は、コア部材１，２および放熱板５を固定する機能が求められることにより、リッツ線では切れてしまう恐れがあるが通常の絶縁電線ではその恐れは少なく、品質を保証することができる。さらにリッツ線を使用する場合と比較してコストを低減することができる。
［実施の形態２］
上記実施の形態１の複合コアリアクトルを使用して、共振回路の共振電圧を大きくしたいとき、すなわち複合コアリアクトルの飽和電圧を大きくしたいとき、コイル巻線８の巻数を大きくするか、あるいは第１コア部材１のコア断面積を大きくするかを行う必要がある。コイル巻線８の巻数を大きくすると、第２コア部材２のアンペアターンが大きくなって好ましくないので、第１コア部材１のコア断面積を大きくする。このとき、第１コア部材１の体積が大きくなることで発熱量がさらに大きくなるという問題が発生する。この問題を実施の形態２で解決する。なお、実施の形態１と同一の構成には同一の符号を付して説明を省略する。
【００５７】
図４は本発明の実施の形態２における複合コアリアクトルの斜視図である。
実施の形態２は、実施の形態１の複合コアリアクトルの飽和電圧をｎ（ｎは２以上の整数）倍、たとえば２倍とするとき、第１コア部材１のコア断面積を２倍とするが、単にコア断面積を大きくするのではなく、上記実施の形態１の第１コア部材１を２個（複数の一例）用意し（分散し）、さらに放熱板５を２枚（複数の一例）用意している。また第２コア部材２’のコア断面積を、実施の形態１の第２コア部材２のコア断面積の２倍としている。
【００５８】
そして、図４に示すように、２個の第１コア部材１間に第２コア部材２’が配置され、各第１コア部材１の外方にそれぞれ放熱板５が配置されるように、第２コア部材２’のリボン材の側縁を集積した各面にそれぞれ第１コア部材１のリボン材の側縁を集積した面を合わせ、芯材７を位置決め部材として、この芯材７に放熱板５、第１コア部材１、第２コア部材２’、第１コア部材１、放熱板５の順にその空洞４，６を通し（揃え）、これら放熱板５と第１コア部材１と第２コア部材２’と第１コア部材１と放熱板５を接合し、さらにこの揃えた空洞４，６（中空芯材７の空洞）を使用して、通常の絶縁電線（撚り線）からなるコイル巻線８をコア部材１，２’の両環状磁路に共通に鎖交するように巻いている。またこのとき、コイル巻線８を、芯材７の両縁を緩衝材として使用して、両側の放熱板５の空洞６の空洞縁部に接触しないように巻いている。また２枚の放熱板５は、たとえばアルミニウムや銅などの熱伝導率の高い低透磁率材料、あるいはたとえばＳＵＳ３０４などの低透磁率材料からなる平板５’（放熱板を兼ねる）により、端部で連結されており、ブラケットを兼ねている。
【００５９】
このような実施の形態２によれば、上記実施の形態１の第１コア部材１を２個用意し、第１コア部材１のコア断面積を２倍とすることにより、飽和電圧を２倍にでき、共振電圧を２倍とすることができるとともに、発熱量が多い第１コア部材１を分散し（放熱面積を増加し）、これら第１コア部材１間に第２コア部材２’を配置して接合し、かつ各第１コア部材１にそれぞれ放熱板５を接合したことにより、各第１コア部材１の発熱はそれぞれ発熱の少ない第２コア部材２’と放熱板５へ伝導されて効率よく放熱され、よって放熱特性を向上させることができ、複合コアリアクトル１４が発熱で使用不可能となる事態を回避することができる。
【００６０】
また実施の形態２によれば、コイル巻線８が、接合された第１コア部材１および第２コア部材２’および放熱板５の空洞４，６を使用して巻かれることにより、巻き作業を容易とすることができ、コストを低減することができる。
【００６１】
また実施の形態２によれば、中空芯材７を位置決め部材として第１コア部材１および第２コア部材２’および放熱板５の空洞４，６を揃えて接合することにより、接合作業が容易となり、また芯材７の両縁を使用して両放熱板５の空洞縁部に接触しないようにコイル巻線８を巻くことにより、コイル巻線８が放熱板５の空洞縁部で断線する恐れを減少させることができる。
【００６２】
また実施の形態２によれば、放熱板５と第１コア部材１が接触すると層間短絡を起こす恐れがあるが、第１コア部材１が絶縁処理され電気的に絶縁された状態で接合されていることにより、このような層間短絡を防止することができる。またこの電気絶縁により、放熱板５が渦電流を流すルートになることを防止することができる。
【００６３】
なお、実施の形態２では、実施の形態１の飽和電圧を２倍とするため、第１コア部材１のコア断面積が２倍となるように、上記実施の形態１の第１コア部材１を２個（複数の一例）用意しているが、飽和電圧をｎ倍とするとき、第１コア部材１をｎ個用意し、第２コア部材２’を（ｎ−１）個用意し、各第１コア部材１間にそれぞれ第２コア部材２を挟むように配置して接合し、両端の第１コア部材１の外方に放熱板５を接合する。この構成により、飽和電圧をｎ倍としたときも放熱特性を維持することができる。
［実施の形態３］
上記実施の形態１では、第２コア部材２と第１コア部材１を、そのリボン材の側縁を集積した面を合わせて接合しているが、必ずしも第２コア部材２と第１コア部材１のリボン材の側縁を集積した面を合わせる必要はなく、発熱量が多い第１コア部材１のリボン材の側縁を集積した面と放熱板５の主面を合わせて接合していれば放熱に対処できる。なお、実施の形態１と同一の構成には同一の符号を付して説明を省略する。
【００６４】
図５は本発明の実施の形態３における複合コアリアクトルの斜視図である。
実施の形態３では、中空芯材７を位置決め部材として、この芯材７に第１コア部材１と放熱板５の空洞４，６を通して（揃えて）接合し、すなわち第１コア部材１のリボン材の側縁を集積した面と放熱板５を合わせて接合し、続けて第２コア部材２の空洞４に中空芯材７’を通し、コア部材１，２の各外周面（リボン材の側縁を集積した面とは直角な外面）を互いに同じ向き（このとき両環状磁路の向きが揃えられる）で接触させて接合し、コイル巻線８が両環状磁路に共通に鎖交するように巻かれている。またこのとき、第２コア部材２の空隙３を、第１コア部材１と第２コア部材２の接触部から離している。またコイル巻線８を、中空芯材７と中空芯材７’の両縁を緩衝材として使用して、コア部材１，２および放熱板５の空洞縁部に接触しないように巻いている。
【００６５】
上記複合コアリアクトルの構造により、実施の形態１と同様に、空隙無し第１コア部材１は、空隙有り第２コア部材２より磁気抵抗がかなり小さいことにより、第１コア部材１が磁気飽和していない領域においては、コイル巻線８に流れる電流による磁化力はもっぱら第１コア部材１に磁束を生じさせ、この状態ではリアクトルは大きなインダクタンス値を示す。そして、第１コア部材１が磁気飽和すると、これを起源とするインダクタンスはほぼゼロになるが、同時に第２コア部材２に磁束が生じることからリアクトルとしてのインダクタンスはある程度の値を維持することになり、そのため第１コア部材１が磁気飽和してもリアクトルに流れるパルス電流は、それほど急峻で過大とはならず、穏やかに電圧抑制の作用が働くことになり、急峻で過大なパルス電流に起因する渦電流による発熱や電磁妨害の問題が軽減される。また第１コア部材１は飽和状態で使用されるために発熱量が大きくなるが、この発熱は放熱板５へ伝導され、放熱板５により速やかに逃がされ、過熱することが防止される。
【００６６】
また第２コア部材２の空隙３の位置を、第１コア部材１と第２コア部材２の接触部から離したことにより、空隙３から周囲に漏れ出す磁界により第１コア部材１に渦電流が発生し第１コア部材１が発熱することが防止されている。
【００６７】
このように実施の形態３によれば、急峻で過大なパルス電流に起因する渦電流による発熱や電磁妨害の問題を軽減でき、また第２コア部材２の空隙から漏れる磁束により第１コア部材１に渦電流が発生し第１コア部材１が発熱することを防止することができる。
【００６８】
また実施の形態３によれば、コア部材１，２の各外周面を互いに接触させて接合していることにより、リボン材の側縁を集積した面が連なる薄型形状となり、全体が薄型の複合コアリアクトルを提供することができる。
【００６９】
また実施の形態３によれば、放熱板５と第１コア部材１が接触すると層間短絡を起こす恐れがあるが、第１コア部材１が絶縁処理され電気的に絶縁された状態で接合されていることにより、このような層間短絡を防止することができる。またこの電気絶縁により、放熱板５が渦電流を流すルートになることを防止することができる。
【００７０】
なお、上記実施の形態３では、第２コア部材２の空隙３を、第１コア部材１と第２コア部材２の接触部から離しているが、図６に示すように、第１コア部材１と第２コア部材２の接触部に、絶縁材、たとえばガラス基板２１を挟んで接触させることにより、空隙３から周囲に漏れ出す磁界を離すことができ、空隙３を第１コア部材１に対して任意の位置とすることができる。図６では、空隙３を第１コア部材１と第２コア部材２の接触部に合わせており、塵埃が空隙３に溜まることを避けている。
【００７１】
この構成によれば、第２コア部材２の空隙３から漏れる磁束が絶縁材２１により遮断され、前記漏れ磁束により第１コア部材１に渦電流が発生し第１コア部材１が発熱することを防止することができる。
【００７２】
また上記実施の形態３では、第１コア部材１のみ放熱板５を合わせて接合しているが、放熱板５を第２コア部材２側へ拡張して、第２コア部材も放熱板５に接合するようにしてもよい。この放熱板５は、ブラケットを兼ねることができ、他の器具や装置への取り付けを容易に安定して行うことができる。
【００７３】
なお、上記実施の形態１，２では、発熱量が多い第１コア部材１のリボン材の側縁を集積した面と放熱板５の主面を合わせて接合しているが、第１コア部材１のリボン材の側縁を集積した面と第２コア部材２，２’のリボン材の側縁を集積した面とを合わせて接合し、第１コア部材１の発熱を第２コア部材２，２’により放熱することを可能としていることから、放熱板５を無くすことも可能である。
【００７４】
このとき、複合コアリアクトル１４は、単に第１コア部材１のリボン材の側縁を集積した面と第２コア部材２，２’のリボン材の側縁を集積した面とを合わせて接合し、コイル巻線８が第１コア部材１と第２コア部材２，２’の両環状磁路に共通に鎖交するように巻かれている構造となり、したがって第１コア部材１が磁気飽和して発生する熱は、第２コア部材２，２’は飽和しないことから発熱自体が小さく、かつ熱伝導性に優れている第１コア部材１と第２コア部材２，２’のリボン材の側縁を集積した面が合わされ接合されていることにより、第２コア部材２，２’へ伝導され第２コア部材２，２’により効率よく放熱され、複合コアリアクトル１４が発熱で使用できなくなる事態を回避でき、またコストを低減することができる。またこの複合コアリアクトル１４自体の取り付けは、放熱機能を有さない絶縁体などのブランケットで支持して行うことができる。
【００７５】
また上記実施の形態１〜３では、第１コア部材１と第２コア部材２，２’をともに、高透磁率で高効率材料（コア材料）により形成しているが、第２コア部材２，２’は、高透磁率で高効率材料により形成する必要はない。すなわち、第１コア部材１は飽和領域で使用されるため、高透磁率で高効率材料である、最大磁束密度が大きく、かつコアロスの少ない（Ｂ−Ｈ特性において、図８に斜線で示す、ヒステリシスループが囲む面積が小さい）コア材料から形成する必要があるが、第２コア部材２，２’は飽和領域で使用しないため、第２コア部材２，２’のコア材料は、第１コア部材１の如き特性を有するコア材料で形成する必要はなく、第１コア部材１のコア材料より磁気抵抗が大きく、ロスの少ない材料でより安価な材料に代えることができる。たとえば、空隙付きの材料（安価なフェライトなど）、または透磁率が低く空隙の必要が無い材料（安価なダストコアなど）とすることができる。このように、２つのコア部材を設け、別々の材料で複合コアリアクトルを形成することにより、安価な複合コアリアクトルを提供することができる。
【００７６】
また上記実施の形態１〜３では、第１コア部材１と第２コア部材２，２’をロール形状に形成しているが、必ずしもロール形状にする必要はなく、図７（ａ）に示すように、コア中央部に四角形状の空洞４を設けた四角形状に形成してもよい。このとき、放熱板５の主面はコア材料１，２，２’の外径より大きい四角形状に形成されており、コア部材１，２，２’の空洞４とほぼ同径の空洞６が空けられている。
【００７７】
また上記実施の形態１，３では、第１コア部材１と第２コア部材２の空洞４および放熱板５の空洞６の径にほぼ一致する径の円筒状の中空芯材７を備えているが、このような中空芯材７に代えて、図７（ｂ）に示すように、第２コア部材２（実施の形態１の場合）あるいは第１コア部材１および第２コア部材２（実施の形態３の場合）のリボン材の側縁を集積した面および外周面を覆うカバー部３１と前記中空芯材７と同等の円筒状の中空芯材３２が一体化されて形成されたキャップ３３を設けるようにしてもよい。このような、キャップ３３を設けることにより、中空芯材３２を位置決め部材として第１コア部材１および第２コア部材２および放熱板５の空洞４，６を揃えて接合することにより、接合作業が容易となり、またキャップ３３のカバー部３１の両縁を使用して、第２コア部材２（実施の形態１の場合）あるいは第１コア部材１および第２コア部材２（実施の形態３の場合）の両縁部（外周縁部と空洞縁部）に接触しないようにコイル巻線８を巻くことにより、コイル巻線８がこのような両縁部で断線する恐れを減少させることができる。
【図面の簡単な説明】
【００７８】
【図１】本発明の実施の形態１における複合コアリアクトルの斜視図である。
【図２】同複合コアリアクトルを組み込んだ誘導受電回路の回路図である。
【図３】同複合コアリアクトルのＢ-Ｈカーブである。
【図４】本発明の実施の形態２における複合コアリアクトルの斜視図である。
【図５】本発明の実施の形態３における複合コアリアクトルの斜視図である。
【図６】同複合コアリアクトルの他の実施の形態である。
【図７】本発明の他の実施の形態における複合コアリアクトルの斜視図である。
【図８】可飽和コアリアクトルのＢ-Ｈカーブである。
【符号の説明】
【００７９】
１    第１コア部材
２，２’    第２コア部材
３    空隙
４，６  空洞
５    放熱板
７    芯材
８    コイル巻線
１１  受電コイル
１２  共振コンデンサ
１３  整流器
１４  複合コアリアクトル
１５  負荷
２１  ガラス基板
３３  キャップ
【図１】
2005093830.tif 000003
【図２】
2005093830.tif 000004
【図３】
2005093830.tif 000005
【図４】
2005093830.tif 000006
【図５】
2005093830.tif 000007
【図６】
2005093830.tif 000008
【図７】
2005093830.tif 000009
【図８】
2005093830.tif 000010